(57)【要約】【課題】  勘合部が存在する物体に対して、安価で電源の必要のないパッシブタグを用い組合せ部品の位置関係までを判定でき、合わせて読取りエリア可能な範囲で同時読取りができる輻輳制御可能なタグを使用することで複数の組合せ部品の位置関係も判定できる方式を提案する。【解決手段】  複数読取り可能なパッシブタイプのRFIDタグはアンテナとチップが一体となった構造となっている。このタグのアンテナ部を２個又は複数個に分割し、チップを含んだ各々のアンテナ部を管理対象品に埋め込む。管理対象品に埋め込む位置として、管理対象品が正常に組立てられた時に分割埋め込みしたアンテナ部が揃いRFIDタグとして機能する位置に埋め込むものとする。これにより、管理対象品が正常に組立てられた完成品にRFIDタグ用電波を照射し、その応答を受取ることで、管理対象品が正常に組立てられたことが確認出来る管理方法を提供する。【選択図】  図１
2008104033.tif 000002
【特許請求の範囲】
【請求項１】
電波を媒体として通信を行うRFIDタグを用いた組立品の管理方法であって、パッシブタイプのRFIDタグのアンテナ部を分割し、個々の部品に分割したアンテナ部を貼付けることにより管理対象品が正しく組立てられた時に分割したアンテナ部が接触し一体となりアンテナとして機能しRFIDタグが読取り可能となることで、個々の部品が正しく組立て完了されたものかの判断ができる組立品管理方法。
【請求項２】
請求項１に記載の組立品管理方法であって、
前記パッシブタグに読取り可能なエリア内で同時読取りが出来る輻輳制御可能なRFIDを使用することにより、管理対象品には複数のタグが搭載でき、１部品に対して複数個接触部及び非接触部が存在する組立品に対して適用可能な組立品管理方法。
【請求項３】
請求項１もしくは２に記載の組立品管理方法であって、
個々の部品の完成時にアンテナ部が接触しない場合、RFIDタグ近傍に補助アンテナとしての役目をする導電体を近傍に配置することでタグと補助アンテナにて疎結合の状態となりアンテナ同士は非接触状態のままRFIDタグとして機能させることを特徴とする組立品管理方法。
【発明の詳細な説明】
【技術分野】
【０００１】
本発明は、パッシブタイプのRFIDタグを利用した組立て品の管理方法に関する。
【背景技術】
【０００２】
RFIDタグには内部に電源を持ち自ら電波を送信するアクティブタグと電波を受けその電波を電源として動作するパッシブタグがある。アクティブタグは自発的に情報発信が出来、通信距離も長い特徴を有する反面、電源が必要で比較的サイズが大きく高価となる傾向がある。これに対しパッシブタグは電源が不要で小型、安価である反面通信距離が短く、リーダ装置からの電波の届く範囲でしか動作できない特性となる。
【０００３】
近年、このRFIDタグを利用した物品の管理方法が普及しつつあり、特許文献１はアクティブタグとパッシブタグが通信の出来る着脱可能な機構で接続され二つのタグを組み合わせて使用する物品の管理方法である。
【０００４】
【特許文献１】特開２００６−１９０２４１号公報
【発明の開示】
【発明が解決しようとする課題】
【０００５】
従来技術ではアクティブタグが中継機の役目をし、周辺のパッシブタグの有無を検知し上位装置に報告する技術である。アクティブタグのため、電源及び価格の面で問題がある。今回提案する方式は、勘合部が存在する物体に対して、安価で電源の必要のないパッシブタグを用い組合せ部品の位置関係までを判定でき、合わせて読取りエリア可能な範囲で同時読取りができる輻輳制御可能なタグを使用することで複数の組合せ部品の位置関係も判定できる方式を提案する。
【課題を解決するための手段】
【０００６】
本発明は勘合部が存在する管理対象品に対して、パッシブタグを用い組合せ部品の位置関係までを判定する管理方法であって、本発明で使用するパッシブタイプのRFIDタグは、アンテナ部とID情報が格納されているRFIDチップ部が一体となった構成である。このRFIDタグのアンテナ部を２個又は複数個に分割し、分割されたRFIDタグをそれぞれ管理対象品に埋め込む。
【０００７】
管理対象品に埋め込む位置として、この管理対象品が正常に組立てられた時に分割されたアンテナ部が揃いRFIDタグとして機能する位置に埋め込むものとする。
【０００８】
管理対象品が組立てられた後にリーダ装置から電波を照射しその応答を受取ることで対象品が正常に組立てられたことを確認するものである。複数個の組み立て品により構成される管理品においては、同時読取りの出来る輻輳制御可能なRFIDタグとリーダ装置を使用することにより、複数RFIDタグを同時に読取ることにより複数個の組み立て部品を一度に管理するものである。
【０００９】
また、アンテナの分割及び搭載方法として、タグの近傍に補助アンテナの役目をする導電体を配置することでタグと補助アンテナが疎結合の状態となりRFIDとして機能する特性を利用し、アンテナ同士は非接触状態だがRFIDタグとして機能させることで組み立て品を管理する方法を提案する。
【発明の効果】
【００１０】
パッシブタイプのRFIDタグを利用することで組立て完成品の管理を非接触リード方式により管理することを可能とする。また複数読取り可能なタグを利用することにより複数個の管理対象物の組合せ（位置関係）を同時に管理出来る。
【発明を実施するための最良の形態】
【００１１】
図１〜図３を用いて本願発明の実施形態を説明する。
【実施例１】
【００１２】
本発明にかかわる組み立て管理方式は、RFIDタグの電波を放射しRFIDタグからの反射波を受信し情報を読取るリーダ装置と、リーダから放射された電波をもとに起電し反射波に情報をのせ応答するRFIDタグからなる。このRFIDタグは、リーダ装置から放射される電波を受け取るアンテナ部及び受信された電波より起電し反射波にID情報を載せ応答するRFIDチップ部より構成される。
図１に請求項１の実施例を示す。
【００１３】
管理対象品101、102、103にそれぞれRFIDタグを分割したアンテナ部104、104A、107、107Aが搭載されている。分割されたアンテナ部の片方にはRFIDとして機能するための制御部及びID情報が格納されているRFIDチップ部106、106Aがある。また、分割部には接触機構部105、105Aがある。RFIDタグのアンテナ部の分割方法として、RFIDチップ部106、106Aが搭載されているアンテナ部107、107Aはリーダ装置から放射される周波数の電波では単独動作をしないアンテナ長を選択する。
【００１４】
また、図２にアンテナ部と接触機構部の詳細を示す。接触機構部105、105Aは管理対象品が組み立てられた時、電気的に接続される機構を有するものでありこれによりアンテナ長がRFIDで使用する周波数にて共振するアンテナ長となりRFIDタグとして機能するものとする。
【００１５】
管理対象品が正しく組み立てられた時、接続機構部105、105Aによりアンテナ部が一つに接続され完成されたRFIDタグ108、109として存在することになる。これにより、RFIDタグとして機能することになりリーダ装置から放射された電波を受け取りRFIDチップ内の情報を反射波として応答することができる。リーダ装置はこのRFIDタグからの反射波を受信しID情報を読取ることで、管理対象品が正しく組み立てられたことを確認できる。
【００１６】
請求項２の例として、読取り可能なエリア内で同時読取りが可能な輻輳制御用RFIDタグ108、109及び輻輳制御に対応したリーダ装置110を用いることにより、複数個のRFIDタグのID情報を同時に読み取ることで一度に管理対象品の組立てが正しく完了したことを確認することが出来る。
【実施例２】
【００１７】
図３に請求項３の実施例を示す。
【００１８】
管理対象品301、302、303にそれぞれリーダ装置から放射される周波数の電波を受信できないアンテナ長の短RFIDタグ304、304Aと放射される周波数の電波にて共振する補助アンテナ305、305Aが搭載されている。この補助アンテナは単なる導電体であり、RFIDタグの近傍に配置されることでタグの補助アンテナとして機能する。補助アンテナの形状には様々なものが考えられ、図３の例では長方形の導体としている。
【００１９】
管理対象品が組立てられ、短RFIDタグ304、304Aと補助アンテナ305、305Aが近傍界に配置されることで単独では動作しないRFIDタグ304、304Aと補助アンテナ305、305Aが電気的に疎結合の状態となり補助アンテナ305、305Aと短RFIDタグ304、304Aの二つの物体にて完成されたRFIDとして機能することになる。管理対象品が正しく組み立てられた時リーダ装置110はID情報を取得でき正しく組立てられたことを確認できる。
【図面の簡単な説明】
【００２０】
【図１】パッシブタイプRFIDを使用した実施例の説明図である。
【図２】RFIDアンテナ部と接続機構部の詳細図である。
【図３】補助アンテナを利用したパ実施例の説明図である。
【符号の説明】
【００２１】
１０１〜１０３・・・管理対象品、１０４、１０４Ａ、１０７、１０７Ａ・・・アンテナ部、１０６、１０６Ａ・・・ＲＦＩＤチップ部、１０５、１０５Ａ・・・接触機能部、１０８、１０９・・・ＲＦＩＤタグ、１１０・・・リーダ装置
【図１】
2008104033.tif 000003
【図２】
2008104033.tif 000004
【図３】
2008104033.tif 000005